(57)【要約】      （修正有）【課題】利便性が高い除菌装置を提供する。【解決手段】除菌装置１は、本体部２と、オゾン発生部３と、を備える。本体部は、除菌される対象物９を収容する収容室２１が形成される。オゾン発生部は、本体部に対して着脱可能に構成される。オゾン発生部は、電力供給部を有し、吐出口が形成され、電力供給部から供給される電力によって駆動されて発生させたオゾンを吐出口から吐出するように構成される。本体部は、オゾン発生部を着脱可能に収容するように構成される着脱部２２を備える。着脱部は、収容室に連通する開口であってオゾン発生部が装着された状態で吐出口と連通する取り入れ口が形成される。【選択図】図１
0003231686.tif 000002
【実用新案登録請求の範囲】
【請求項１】
除菌装置であって、
除菌される対象物を収容する収容室が形成される本体部と、
前記本体部に対して着脱可能に構成されるオゾン発生部であって、電力供給部を有し、吐出口が形成され、前記電力供給部から供給される電力によって駆動されて発生させたオゾンを前記吐出口から吐出するように構成される前記オゾン発生部と、
を備え、
前記本体部は、前記オゾン発生部を着脱可能に収容するように構成される着脱部を備え、
前記着脱部は、前記収容室に連通する開口であって前記オゾン発生部が装着された状態で前記吐出口と連通する取り入れ口が形成される
除菌装置。
【請求項２】
請求項１に記載の除菌装置であって、
前記オゾン発生部は、吸入口が形成され、前記吸入口から吸入する空気を用いてオゾンを発生させるように構成され、
前記本体部では、
前記着脱部は、前記収容室に連通する前記開口であって、前記オゾン発生部が装着された状態で前記吸入口と連通する排出口が形成される
除菌装置。
【請求項３】
請求項２に記載の除菌装置であって、
前記本体部では、
前記着脱部において、前記取り入れ口と前記排出口とは、前記取り入れ口を含む面と前記排出口を含む面とが交差するように配置される
除菌装置。
【請求項４】
請求項３に記載の除菌装置であって、
前記本体部では、
前記着脱部は、前記オゾン発生部を収容する凹部が形成されており、
前記凹部は、前記凹部の底である凹底部と、前記凹底部から延びて前記凹底部を囲む側壁とを備え、
前記取り入れ口及び前記排出口のうちの一方は、前記凹底部に形成され、
前記取り入れ口及び前記排出口のうちの他方は、前記側壁に形成される
除菌装置。
【請求項５】
請求項１から請求項４のいずれか一項に記載の除菌装置であって、
前記本体部では、
前記着脱部は、
前記着脱部に形成される前記開口を開閉する蓋部と、
前記蓋部を、前記開口を塞ぐ方向に弾性的に付勢する付勢部材と、
を備え、
前記蓋部は、前記着脱部に前記オゾン発生部が装着された状態で前記オゾン発生部によって押圧されると、前記付勢部材の付勢力に抗って前記開口に対して開き、前記着脱部から前記オゾン発生部が取り外されると、前記付勢部材の付勢力によって前記開口を塞ぐように構成される
除菌装置。
【請求項６】
請求項１から請求項５のいずれか一項に記載の除菌装置であって、
前記本体部は、前記収容室内に、紫外線を照射する少なくとも一つの紫外線照射部を備える
除菌装置。
【請求項７】
請求項１から請求項６のいずれか一項に記載の除菌装置であって、
前記本体部は、前記収容室内に、オゾンを分解する少なくとも一つのオゾン分解部を備え、
前記オゾン分解部は、
前記収容室内の空気を吸引し排出する吸排出ファンと、
前記吸排出ファンにおける排出側に配置され、オゾンを分解する触媒を含む分解触媒部と、を備える
除菌装置。
【考案の詳細な説明】
【技術分野】
【０００１】
本開示は、除菌装置に関する。
【背景技術】
【０００２】
オゾンを除菌や脱臭に利用する技術が知られている。例えば、下記特許文献１には、装置の収容室内にオゾンを供給し、収容されているスリッパ等の履物の除菌を行う、という技術が提案されている。
【先行技術文献】
【特許文献】
【０００３】
【特許文献１】特開平７−２５５８２７号公報
【考案の概要】
【考案が解決しようとする課題】
【０００４】
しかしながら、上述のような従来の装置では、除菌の対象である対象物は収容室内に収容される物体に限定される。このため、従来の装置は、収容室内に収容されない種々の対象物の除菌を行うことができず、利便性が低かった。
【０００５】
本開示の一側面は、利便性が高い除菌装置を提供することにある。
【課題を解決するための手段】
【０００６】
本開示の一態様は、除菌装置であって、本体部と、オゾン発生部と、を備える。本体部は、除菌される対象物を収容する収容室が形成される。オゾン発生部は、本体部に対して着脱可能に構成される。オゾン発生部は、電力供給部を有し、吐出口が形成され、電力供給部から供給される電力によって駆動されて発生させたオゾンを吐出口から吐出するように構成される。本体部は、オゾン発生部を着脱可能に収容するように構成される着脱部を備える。着脱部は、収容室に連通する開口であってオゾン発生部が装着された状態で吐出口と連通する取り入れ口が形成される。
【０００７】
上記構成によれば、オゾン発生部が本体部に装着された状態では、オゾン発生部の吐出口から吐出されるオゾンが、本体部の取り入れ口を経由して収容室内に供給される。且つ、オゾン発生部が本体部から取り外された状態では、オゾン発生部を単体で作動させることにより、オゾン発生部が設置された周囲にオゾンが供給される。これにより、収容室内に収容される物体について除菌を行うことができると共に、収容室外の物体（すなわち、収容室内に収容されない種々の物体）についても除菌を行うことができるので、除菌装置の利便性を高めることができる。
【０００８】
また、本開示の一態様では、オゾン発生部は、吸入口が形成され、吸入口から吸入する空気を用いてオゾンを発生させるように構成されてもよい。本体部では、着脱部は、収容室に連通する開口であって、オゾン発生部が装着された状態で吸入口と連通する排出口が形成されてもよい。
【０００９】
上記構成によれば、排出口及び吸入口を介して収容室内の空気がオゾン発生部内に供給され、供給された空気を用いてオゾン発生部がオゾンを発生させる。そして、オゾン発生部からオゾンが吐出口及び取り入れ口を介して収容室内に供給される。これにより、空気及びオゾンの循環経路が形成されるので、収容室内の空気をオゾンによって効率よく除菌することができる。
【００１０】
また、本開示の一態様では、本体部では、着脱部において、取り入れ口と排出口とは、取り入れ口を含む面と排出口を含む面とが交差するように配置されてもよい。
上記構成によれば、取り入れ口と排出口とが同一平面に配置される場合よりも、上述のような空気及びオゾンの循環経路を容易に形成することができる。
【００１１】
また、本開示の一態様では、本体部では、着脱部は、オゾン発生部を収容する凹部が形成されてもよい。凹部は、凹部の底である凹底部と、凹底部から延びて凹底部を囲む側壁と、を備えてもよい。取り入れ口及び排出口のうちの一方は、凹底部に形成されてもよく、取入れ口及び排出口のうちの他方は、側壁に形成されてもよい。
【００１２】
上記構成によれば、凹部を利用して、取り入れ口及び排出口が、それぞれを含む面が互いに交差するように配置される。これにより、上述のような空気及びオゾンの循環経路をより容易に形成することができる。また、着脱部に要するスペースを小さくすることができるので、除菌装置を小型化することができる。
【００１３】
また、本開示の一態様では、本体部では、着脱部は、蓋部と、付勢部材と、を備えてもよい。蓋部は、着脱部に形成される開口を開閉してもよい。付勢部材は、蓋部を、開口を塞ぐ方向に弾性的に付勢してもよい。蓋部は、着脱部にオゾン発生部が装着された状態でオゾン発生部によって押圧されると、付勢部材の付勢力に抗って開口に対して開き、着脱部からオゾン発生部が取り外されると、付勢部材の付勢力によって開口を塞ぐように構成されてもよい。
【００１４】
上記構成によれば、オゾン発生部が単体で使用される際には、使用されない本体部において付勢部材によって開口が蓋部で塞がれるので、本体部の保管性に優れる。
また、本開示の一態様では、本体部は、収容室内に、紫外線を照射する少なくとも一つの紫外線照射部を備えてもよい。
【００１５】
上記構成によれば、収容室内の対象物に対しては、更に、紫外線による殺菌を行うことができる。
また、本開示の一態様では、本体部は、収容室内に、オゾンを分解する少なくとも一つのオゾン分解部を備えてもよい。オゾン分解部は、収容室内の空気を吸引し排出する吸排出ファンと、吸排出ファンにおける排出側に配置され、オゾンを分解する触媒を含む分解触媒部と、を備えてもよい。
【００１６】
上記構成によれば、オゾン分解部を備えない場合よりも、収容室内のオゾンを速やかに分解することができる。
【図面の簡単な説明】
【００１７】
【図１】除菌装置の斜視図である。
【図２】除菌装置を右側から見た正面図である。
【図３】矢印方向から見た、図２におけるＩＩＩ−ＩＩＩ断面図である。
【図４】着脱部及びオゾン発生部を示す斜視図である。
【図５】オゾン発生部を示す斜視図である。
【図６】矢印方向から見た、図２におけるＶＩ−ＶＩ断面図である。
【考案を実施するための形態】
【００１８】
以下、図面を参照しながら、本開示の例示的な実施形態を説明する。なお、本開示の実施形態は、下記の実施形態に何ら限定されることはなく、本開示の技術的範囲に属する限り種々の形態を採りうる。
【００１９】
［１．構成］
図１〜図６に示す本実施形態の除菌装置１は、オゾンによって対象物９の除菌を行う装置である。なお、以下でいう、除菌とは、除菌作用及び脱臭作用を含む。除菌される対象物９としては、一例として、スリッパ等の履物が挙げられる。以下では、除菌装置１が使用される際、除菌装置１が設置された面に対して垂直な方向を上下方向という。具体的には、図１におけるＺ方向が上下方向に相当する。また、＋Ｘ方向が右側、−Ｘ方向が左側に相当する。
【００２０】
＜全体構成＞
除菌装置１は、本体部２と、本体部２に対して着脱可能に構成されるオゾン発生部３とを備える。オゾン発生部３は、発生させたオゾンを本体部２内へ供給する。除菌装置１では、本体部２にオゾン発生部３が装着される際は、一例として、本体部２の上部にオゾン発生部３が装着される。オゾンの重量は空気よりも大きいため、発生したオゾンは相対的に下方へ移動し易いという性質を有する。除菌装置１では、オゾン発生部３が本体部２の上部に載置されることにより、オゾン発生部３から本体部２内へオゾンが効率よく供給される。
【００２１】
＜本体部２＞
本体部２は、筒状に形成された本体壁部３０１と、本体壁部３０１の上部に固定される板状の本体上部３０２と、本体壁部３０１の底部に固定される板状の本体底部３０３とを備え、一例として箱状であり、除菌される対象物９が収容される収容室２１が形成される。扉３０４は、収容室２１内に対象物９を出し入れするために、本体部２の適所に設けられる。着脱部２２は、オゾン発生部３を着脱可能に収容する部材であり、除菌装置１では、一例として、本体部２の上部に、具体的には、本体上部３０２に設けられる。
【００２２】
収容室２１内を視認可能なように、例えば、本体壁部３０１、本体上部３０２及び扉３０４のうち少なくとも一部は、紫外線を透過しない特性を備える透明な板状の部材が用いられてもよい。
【００２３】
本体部２は、収容室２１内に、少なくとも一つの棚２３と、少なくとも一つのオゾン分解部２５と、少なくとも一つの殺菌ランプ２９と、を備える。
棚２３は、対象物９を載置するための棚である。棚２３は、通気性が良いように形成されることが好ましい。除菌装置１では、一例として、本体部２は１つの棚２３を備え、棚２３は網目状に形成される。なお、本体部２は複数の棚２３を備えてもよい。また、棚２３は、例えば、複数の棒状の部材を含む形状等といった、任意の形状に形成されてもよい。なお、本体部２は、棚２３を備えていなくてもよい。
【００２４】
オゾン分解部２５は、少なくとも一つの吸排出ファン２６と、少なくとも一つの分解触媒部２８と、を備える。吸排出ファン２６は、吸入側２６１から空気を吸引し、排出側２６２から吸引した空気を排出する。分解触媒部２８は、吸排出ファン２６における排出側２６２の近傍に配置される。分解触媒部２８は、空気中のオゾンを分解し除去するための触媒として活性炭を用いた活性炭フィルタを含む。
【００２５】
オゾン分解部２５において吸排出ファン２６を作動させることによって、収容室２１内のオゾンを含む空気が分解触媒部２８側へ排出されて分解触媒部２８内を通過し、分解触媒部２８からオゾンが除去された空気が排出される。
【００２６】
オゾン分解部２５は、収容室２１内の底部に配置されることが好ましい。除菌装置１では、一例として、オゾン分解部２５は１つの吸排出ファン２６と１つの分解触媒部２８とを備えており、吸排出ファン２６及び分解触媒部２８は、収容室２１内の底部に配置される。
【００２７】
なお、除菌装置１では、図示のように、オゾン分解部２５は、吸排出ファン２６における排出側２６２と分解触媒部２８との間を接続する接続部２７を備える。接続部２７は、図中の矢印に示すような、吸排出ファン２６の排出側２６２から分解触媒部２８に至る流路が形成されるように、例えば、筒状や両端が開口した袋状等の形状であり得る。接続部２７によって形成される流路を介して、吸排出ファン２６によって吸引された収容室２１内の空気が分解触媒部２８内に排出されやすくなる。
【００２８】
殺菌ランプ２９は、紫外線を照射するランプであり、収容室２１内の適所に配置される。除菌装置１では、一例として、本体部２は４つの殺菌ランプ２９を備える。４つの殺菌ランプ２９うちの２つは収容室２１内の底部に配置され、残りの２つは収容室２１内の上部に配置される。殺菌ランプ２９を点灯させることによって、収容室２１内に紫外線が照射される。
【００２９】
なお、図示しないが、本体部２内の各部は、本体部２のバッテリ、または、本体部２外から供給される電力によって作動する。
着脱部２２には、取り入れ口４１と、排出口４２とが形成される。取り入れ口４１は、収容室２１に連通する開口であって、オゾン発生部３が装着された状態で、オゾン発生部３が備える吐出口１１と連通する。排出口４２は、収容室２１に連通する開口であって、オゾン発生部３が装着された状態で、オゾン発生部３が備える吸入口１２と連通する。
【００３０】
着脱部２２において、取り入れ口４１と排出口４２とは、取り入れ口４１を含む面と排出口４２を含む面とが交差するように配置される。換言すれば、取り入れ口４１と排出口４２とは、取り入れ口４１を含む面の法線方向と排出口４２を含む面の法線方向とが互いに交差するように配置される。
【００３１】
具体的には、着脱部２２は、オゾン発生部３を収容する凹部２２１として形成される。凹部２２１は、収容室２１側へ凹んでおり、オゾン発生部３を収容可能な大きさに形成される。凹部２２１は、凹底部２２２と、側壁２２３とを備える。凹底部２２２は、凹部２２１の底である。側壁２２３は、凹底部２２２から延びて、凹底部２２２を囲む。除菌装置１では、一例として、側壁２２３は、凹底部２２２から、凹底部２２２に対して、略垂直方向に延びるように形成される。
【００３２】
そして、除菌装置１では、取り入れ口４１及び排出口４２のうちの一方は凹部２２１の凹底部２２２に形成され、取り入れ口４１及び排出口４２のうちの他方は凹部２２１の側壁２２３に形成される。ここでいう、側壁２２３に形成される、とは、取り入れ口４１及び排出口４２といった開口の少なくとも一部が側壁２２３に含まれるように、これらの開口が形成されることをいう。
【００３３】
具体的には、除菌装置１では、一例として、排出口４２が凹底部２２２に形成され、取り入れ口４１が、側壁２２３に形成される。これにより、除菌装置１では、取り入れ口４１と排出口４２とは、取り入れ口４１を含む面と、排出口４２を含む面とが、交差するように（すなわち、略垂直に交差するように）配置される。
【００３４】
着脱部２２は、蓋部４３と、付勢部材４４と、を備える。蓋部４３は、着脱部２２に形成される開口を開閉する。付勢部材４４は、着脱部２２に形成される開口を塞ぐ方向に弾性的に蓋部４３を付勢する。付勢部材４４は、ばね（例えば、コイルばね）であり得る。ここでいう開口とは、取り入れ口４１及び排出口４２をいう。
【００３５】
つまり、着脱部２２は、取り入れ口４１及び排出口４２のそれぞれを着脱部２２に形成される開口として、取り入れ口４１を開閉する蓋部４３ａと、取り入れ口４１を塞ぐ方向に弾性的に蓋部４３ａを付勢する付勢部材４４ａとを備える。また、着脱部２２は、排出口４２を開閉する蓋部４３ｂと、排出口４２を塞ぐ方向に弾性的に蓋部４３ｂを付勢する付勢部材４４ｂとを備える。
【００３６】
なお、以下では、蓋部４３a、４３ｂ及び付勢部材４４ａ、４４ｂに共通の説明を記載する場合、ａ、ｂといった符号を省略して記載する。また、取り入れ口４１及び排出口４２を、単に開口とも記載する。
【００３７】
蓋部４３は、板状に形成されており、板状に形成された蓋部４３から突出するように形成される突出部４３１を備える。除菌装置１では、一例として、三角形状の一対の突出部４３１を備え、突出部４３１は蓋部４３の両端にそれぞれ形成される。
【００３８】
ここで、蓋部４３は、着脱部２２にオゾン発生部３が装着される際、オゾン発生部３によって突出部４３１が押圧されるので、付勢部材４４の付勢力に抗って開口に対して開くようになる。つまり、蓋部４３は、着脱部２２にオゾン発生部３が装着された状態で、付勢部材４４の付勢力に抗って開口に対して開く。一方、蓋部４３は、着脱部２２からオゾン発生部３が取り外されると、付勢部材４４の付勢力によって開口を塞ぐ。
【００３９】
なお、図４では、着脱部２２にオゾン発生部３が装着されていないが、説明を分かりやすくするため、着脱部２２にオゾン発生部３が装着されるときのように、蓋部４３が押圧されて開口に対して開く様子を示す。
【００４０】
更に、本体部２では、着脱部２２は、排出口４２の周囲に、被吸着部４５を備える。被吸着部４５は、磁石を吸着させることができる金属を材料として形成される。除菌装置１では、一例として、被吸着部４５は排出口４２を囲むコの字状に形成される。但し、被吸着部４５の形状は、コの字状に限定されるものではなく、排出口４２を囲む任意の形状であってよい。
【００４１】
＜オゾン発生部３＞
オゾン発生部３は、本体部２よりも小さい箱状に形成された本体ケース５１を備える。オゾン発生部３は、脚部５２と、ハンドル５３と、吸着部５４と、を備えてもよい。
【００４２】
除菌装置１では、一例として、本体ケース５１の側面に吐出口１１が形成され、本体ケース５１の底部に吸入口１２が形成される。
脚部５２は、オゾン発生部３が本体部２から取り外されて使用される際に本体ケース５１を支える部材であり、本体ケース５１の底部に設けられる。
【００４３】
ハンドル５３は、利用者によって把持される部材であり、本体ケース５１の適所に設けられる。例えば、ハンドル５３は、本体ケース５１の上部に設けられてもよい。
吸着部５４は、オゾン発生部３の本体ケース５１において、オゾン発生部３が本体部２に装着された状態で、着脱部２２が備える被吸着部４５に対応する位置に（すなわち、換言すれば被吸着部４５と向かい合う位置に）少なくとも一つ設けられる。それぞれの吸着部５４は、磁石を備える。除菌装置１では、一例として、複数（すなわち、具体的には４つ）の吸着部５４が、本体ケース５１の底部であって吸入口１２の周囲に配置される。吸着部５４は、被吸着部４５の形状に応じて略四角形の頂点に配置される。
【００４４】
オゾン発生部３は、本体ケース５１内に、発生部ファン３１と、発生装置３２と、図示しない電力供給部と、を備える。
発生部ファン３１は、吸入側３１１から空気を吸引し、排出側３１２から吸引した空気を排出する。発生部ファン３１は、本体ケース５１内において、吸入口１２の上方に吸入側３１１が位置するように設けられる。
【００４５】
ここで、オゾン発生部３が本体部２に装着された状態では、発生部ファン３１を作動させることによって、収容室２１内の空気が排出口４２から吸入口１２に吸引され、オゾン発生部３内に排出される。一方、オゾン発生部３が本体部２に装着されておらず、単体で使用される状態では、発生部ファン３１を作動させることによって、オゾン発生部３の周囲の空気が排出口４２から吸入口１２に吸引され、オゾン発生部３内に排出される。
【００４６】
発生装置３２は、いわゆるオゾナイザ−であり、発生部ファン３１によって吸入口１２から吸入された空気を原料として、無声放電によってオゾンを発生させる。発生装置３２が発生させたオゾンは、吐出口１１から吐出される。
【００４７】
電力供給部は、オゾン発生部３内の各部を作動させる電力を供給するバッテリを備える。
［２．作動］
（１）除菌装置１の利用者は、収容室２１内に収容可能な対象物９を除菌する際は、扉３０４を開けて収容室２１に対象物９を収容し、扉３０４を閉じて、本体部２にオゾン発生部３が装着された状態で除菌を開始する。例えば、利用者は、スリッパを対象物９として、除菌を開始してもよい。
【００４８】
除菌装置１は、図示しないが、例えばボタンや液晶パネル等といった、利用者からの入力を受け付ける入力装置を備えており、利用者から除菌を開始する開始指示が入力されると除菌を開始する。なお、入力装置は、本体部２及びオゾン発生部３の少なくとも一方に設けられ得る。また、入力装置は、本体部２及びオゾン発生部３とは異なる外部装置として設けられ得る。
【００４９】
除菌装置１は、開始指示が入力されると、オゾン発生部３（すなわち、発生部ファン３１及び発生装置３２）と、本体部２の殺菌ランプ２９とを、予め定められた時間である第１所定時間作動させる。第１所定時間は利用者によって入力装置を用いて指示されてもよい。第１所定時間を適宜設定することにより、所望の濃度が満たされるまで、収容室２１内のオゾン濃度を増加させる。
【００５０】
これにより、第１所定時間の間、オゾン発生部３が発生させたオゾンによって、収容室２１内の対象物９が除菌される。
更に、殺菌ランプ２９が照射する紫外線によって、照射収容室２１内の対象物９に対して殺菌が行われる。また更に、除菌装置１では、殺菌ランプ２９が照射する紫外線によって若干量のオゾンが分解され、分解時にスーパーオキシドアニオンが生成される。分解時に生成されるスーパーオキシドアニオンによって、殺菌作用及び脱臭作用がより促される。
【００５１】
除菌装置１は、第１所定時間経過後、オゾン発生部３及び殺菌ランプ２９の作動を停止させ、本体部２のオゾン分解部２５（すなわち、具体的には吸排出ファン２６）を予め定められた時間である第２所定時間作動させる。第２所定時間は利用者によって入力装置を用いて指示されてもよい。
【００５２】
これにより、収容室２１のオゾンを含む空気が、吸排出ファン２６によって吸引されて分解触媒部２８側へ排出され、分解触媒部２８内を通過し、オゾンが除去された空気が分解触媒部２８から排出される。第２所定時間を適宜設定することにより、所望の濃度が満たされるまで、収容室２１内のオゾン濃度を減少させる。
【００５３】
なお、上述のような除菌装置１の作動については、図示しないが、例えば除菌装置１が備えるマイクロコンピュータ（以下、マイコン）等によって、制御が行われる。このようなマイコン等は、本体部２が備えてもよいし、オゾン発生部３が備えてもよい。
【００５４】
（２）除菌装置１の利用者は、収容室２１内に収容されない対象物９を除菌する際は、本体部２からオゾン発生部３を取り外し、オゾン発生部３を持ち運んで対象物９の近傍に設置して、除菌を開始する。収容室２１内に収容されない対象物９とは、例えば、収容室２１内に収容しきれない数の対象物９、収容しきれない大きさの対象物９、収容しきれない形状の対象物９等をいう。例えば、利用者は、スリッパが収容される靴箱にオゾン発生部３を設置して除菌を開始してもよい。
【００５５】
オゾン発生部３は、電力供給部を備えるので、本体部２から取り外された状態であっても（すなわち、単体でも）作動可能である。オゾン発生部３は、本体部２に装着された状態のときと同様に、開始指示が入力されると、発生部ファン３１及び発生装置３２を第１所定時間作動させる。上述のように、第１所定時間は利用者によって入力装置を用いて指示されてもよい。オゾン発生部３は、第１所定時間経過後、発生部ファン３１及び発生装置３２の作動を停止させる。
【００５６】
これにより、第１所定時間の間、オゾン発生部３が発生させたオゾンによって、オゾン発生部３近傍の対象物９が除菌される。例えば、上述の靴箱内のスリッパが除菌される。
なお、上述のようなオゾン発生部３単体の作動については、図示しないが、例えばオゾン発生部３が備えるマイコン等によって制御が行われる。
【００５７】
［３．効果］
以上詳述した実施形態によれば、以下の効果を奏する。
（１）上記実施形態によれば、オゾン発生部３は、電力供給部を有し、吐出口１１が形成され、電力供給部から供給される電力によって駆動されて発生させたオゾンを吐出口１１から吐出するようになっている。本体部２は、着脱部２２を備えている。着脱部２２は、オゾン発生部３を着脱可能に収容するように構成されている。着脱部２２は、取り入れ口４１が形成されている。取り入れ口４１は、収容室２１に連通する開口であって、オゾン発生部３が装着された状態で吐出口１１と連通するようになっている。
【００５８】
したがって、オゾン発生部３が本体部２に装着された状態では、吐出口１１から吐出されるオゾンが、取り入れ口４１を経由して収容室２１内に供給される。且つ、オゾン発生部３が本体部２から取り外された状態では、オゾン発生部３を単体で作動させることにより、オゾン発生部３が設置された周囲にオゾンが供給される。これにより、収容室２１内に収容される物体について除菌を行うことができると共に、収容室２１外の物体（すなわち、収容室２１内に収容されない種々の物体）についても除菌を行うことができるので、除菌装置１の利便性を高めることができる。
【００５９】
（２）上記実施形態によれば、オゾン発生部３は、吸入口１２が形成され、吸入口１２から吸入する空気を用いてオゾンを発生させるようになっている。本体部２では、着脱部２２は、排出口４２が形成されている。排出口４２は、収容室２１に連通する開口であって、オゾン発生部３が装着された状態で吸入口１２と連通するようになっている。
【００６０】
したがって、排出口４２及び吸入口１２を介して収容室２１内の空気がオゾン発生部３内に供給され、供給された空気を用いてオゾン発生部３がオゾンを発生させる。そして、オゾン発生部３からオゾンが吐出口１１及び取り入れ口４１を介して収容室２１内に供給される。これにより、空気及びオゾンの循環経路が形成されるので、収容室２１内の空気をオゾンによって効率よく除菌することができる。
【００６１】
（３）上記実施形態によれば、着脱部２２において、取り入れ口４１と排出口４２とは、取り入れ口４１を含む面と排出口４２を含む面とが交差するように配置されている。
これにより、取り入れ口４１と排出口４２とが同一平面に配置される場合よりも、上述のような空気及びオゾンの循環経路を容易に形成することができる。
【００６２】
（４）上記実施形態によれば、着脱部２２は、オゾン発生部３を収容する凹部２２１が形成されている。凹部２２１は、凹部２２１の底である凹底部２２２と、凹底部２２２から延びて凹底部２２２を囲む側壁２２３と、を備えている。取り入れ口４１及び排出口４２の一方である排出口４２は、凹底部２２２に形成され、取り入れ口４１及び排出口４２の他方である取り入れ口４１は、側壁２２３に形成されている。
【００６３】
したがって、凹部２２１を利用して、取り入れ口４１及び排出口４２が、それぞれを含む面が互いに交差するように配置される。これにより、上述のような空気及びオゾンの循環経路をより容易に形成することができる。また、着脱部２２に要するスペースを小さくすることができるので、除菌装置１を小型化することができる。
【００６４】
（５）上記実施形態によれば、着脱部２２は、蓋部４３と、付勢部材４４と、を備えている。蓋部４３は、着脱部２２に形成される開口（すなわち、取り入れ口４１、排出口４２）を開閉するようになっている。付勢部材４４は、蓋部４３を、開口を塞ぐ方向に弾性的に付勢するようになっている。
【００６５】
蓋部４３は、着脱部２２にオゾン発生部３が装着された状態でオゾン発生部３によって押圧されると、付勢部材４４の付勢力に抗って開口に対して開き、着脱部２２からオゾン発生部３が取り外されると、付勢部材４４の付勢力によって開口を塞ぐようになっている。
【００６６】
これにより、オゾン発生部３が単体で使用される際には、使用されない本体部２において付勢部材４４によって開口（すなわち、取り入れ口４１、排出口４２）が蓋部４３で塞がれるので、本体部２の保管性に優れる。
【００６７】
（６）上記実施形態によれば、本体部２は、収容室２１内に、紫外線を照射する少なくとも一つの殺菌ランプ２９を備えている。
これにより、収容室２１内の対象物９に対しては、更に、紫外線による殺菌を行うことができる。
【００６８】
なお、紫外線による殺菌の効果は紫外線が照射された範囲に限定される。除菌装置１では、殺菌ランプ２９が収容室２１内の上部及び底部の両方に配置されるとともに、それぞれにおいて殺菌ランプ２９が複数配置されている。これにより、対象物９におけるより広い範囲に紫外線が照射されるので、対象物９におけるより広い範囲において紫外線による殺菌の効果を得ることができる。
【００６９】
（７）上記実施形態によれば、本体部２は、収容室２１内に、オゾンを分解する少なくとも一つのオゾン分解部２５を備えている。オゾン分解部２５は、吸排出ファン２６と、分解触媒部２８と、を備えている。吸排出ファン２６は、収容室２１内の空気を吸引し排出するようになっている。分解触媒部２８は、吸排出ファン２６における排出側２６２に配置されており、オゾンを分解する触媒を含んでいる。
【００７０】
これにより、オゾン分解部２５を備えない場合よりも、収容室２１内のオゾンを速やかに分解することができる。
なお、オゾンには臭いがある。収容室２１内の対象物９についてオゾンによる除菌が終了した後に、オゾン分解部２５を上述の第２所定時間作動させることによって、収容室２１内のオゾン濃度を速やかに減少させ、扉３０４を開けたときに利用者が感じ得るオゾンの臭いを抑制することができる。
【００７１】
また、オゾン分解部２５は、収容室２１内の底部に配置されている。これにより、収容室２１内の底部に溜まるオゾンを効率よく分解することができる。
（８）上記実施形態によれば、着脱部２２は、排出口４２の周囲に、被吸着部４５を備える。被吸着部４５は、磁石を吸着させることができる金属を材料として形成されている。吸着部５４は、磁石を備え、オゾン発生部３の本体ケース５１において、オゾン発生部３が本体部２に装着された状態で、着脱部２２が備える被吸着部４５に対応する位置に少なくとも一つ設けられている。
【００７２】
したがって、オゾン発生部３が本体部２に装着される際、吸着部５４と被吸着部４５とが磁石によって互いに吸着する。これにより、オゾン発生部３を本体部２に固定することができる。
【００７３】
［４．他の実施形態］
以上、本開示の実施形態について説明したが、本開示は上述の実施形態に限定されることなく、種々変形して実施することができる。
【００７４】
（１）上記実施形態の除菌装置１では、除菌される対象物９としての履物は、スリッパに限定されるものではなく、例えば、靴、長靴、下駄等といった、種々の履物であり得る。また、除菌される対象物９は、履物に限定されるものではない。除菌される対象物９には、例えば、歯ブラシ、マスク等といった衛生製品、コップ、皿、等といった食器類、時計、アクセサリー、バッグ、ハンカチ、手袋等といった携行品、衣類、及びその他の、利用者が除菌及び脱臭したいと考え得る種々の物体が含まれる。
【００７５】
また、上記実施形態の除菌装置１では、オゾン発生部３が本体部２から取り外されて設置される場所は、靴箱に限定されるものではない。オゾン発生部３が設置される場所には、例えば、ロッカー、タンス、クローゼット等といった対象物９の収納場所内や、例えば、居室、キッチン、トイレ等といった、利用者が除菌及び脱臭したいと考え得る種々の対象物９が配置されるような、種々の閉じられた空間内が含まれる。
【００７６】
（２）上記実施形態の除菌装置１では、オゾン発生部３が本体部２の側部（すなわち、本体壁部３０１）に装着されてもよい。また、オゾン発生部３が本体部２の底部（すなわち、本体底部３０３）に装着されてもよい。なお、上記実施形態の除菌装置１では、本体部２及び本体ケース５１は、箱状（すなわち、四角柱状）に限定されるものではなく、例えば、円柱状、多角柱状、その他等といった、任意の形状であってもよい。
【００７７】
（３）上記実施形態の除菌装置１では、オゾン分解部２５は、例えば、収容室２１内の上部、側部等といった、収容室２１内の底部以外に設けられてもよい。また、上記実施形態の除菌装置１は、複数のオゾン分解部２５を備えてもよい。なお、オゾン分解部２５は、接続部２７を備えていなくてもよい。
【００７８】
（４）上記実施形態の除菌装置１では、本体部２は、１つの殺菌ランプ２９を備えてもよいし、４つ以外の複数の殺菌ランプ２９を備えてもよい。また、上記実施形態の除菌装置１では、殺菌ランプ２９は、収容室２１内の上部のみに配置されてもよいし、または、収容室２１内の底部のみに配置されてもよい。また、上記実施形態の除菌装置１では、殺菌ランプ２９は、収容室２１内の底部及び上部に限定されず、収容室２１内の側部等（例えば、本体壁部３０１、及び扉３０４の収容室２１側）といった、収容室２１内の任意の場所に配置されてもよい。なお、本体部２は殺菌ランプ２９を備えていなくてもよい。
【００７９】
（５）上記実施形態の除菌装置１では、着脱部２２において、取り入れ口４１が凹底部２２２に形成され、排出口４２が側壁２２３に形成されてもよい。これに伴い、オゾン発生部３では、本体ケース５１の側面に吸入口１２が形成され、本体ケース５１の底部に吐出口１１が形成されてもよい。
【００８０】
また、上記実施形態の除菌装置１では、凹部２２１において、側壁２２３は、凹底部２２２から、凹底部２２２に対して所定の角度をなす方向に延びるように形成されてもよい。所定の角度は、略垂直に限定されるものではなく、任意の角度であり得る。
【００８１】
（６）上記実施形態の除菌装置１では、収容室２１内の対象物９の除菌を終了した後、第２所定時間の間、吸排出ファン２６を作動させ、且つ、殺菌ランプ２９を点灯するようにしてもよい。これにより、上述のように、殺菌ランプ２９が照射する紫外線によって若干量のオゾンが分解されるので、収容室２１内のオゾンの濃度をより速やかに減少させることができる。
【００８２】
（７）上記実施形態の除菌装置１では、本体部２は、着脱部２２において排出口４２が形成されず、取り入れ口４１のみが形成されてもよい。これに伴い、オゾン発生部３では、本体ケース５１に吐出口１１のみが形成され、吸入口１２とは異なる開口であってオゾン発生部３の外部から空気を取り入れる開口がオゾン発生部３の底部以外に形成されてもよい。オゾン発生部３は、この開口から取り入れたオゾン発生部３周辺の空気を原料として、オゾンを発生させてもよい。なお、これに伴い、本体部２は、収容室２１内の空気を適宜排出する装置を備えてもよい。
【００８３】
（８）上記実施形態の除菌装置１では、オゾン発生部３は、１つの吸着部５４を備えてもよいし、４つ以外の複数の吸着部５４を備えてもよい。また、オゾン発生部３は、吸着部５４を備えなくてもよい。この場合、本体部２は、被吸着部４５を備えなくてもよい。なお、被吸着部４５が取り入れ口４１の周囲に設けられ、吸着部５４が吐出口１１の周囲に設けられてもよい。また、吸着部５４に代えて被吸着部４５を設け、被吸着部４５に代えて吸着部５４を設けてもよい。
【００８４】
（９）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加または置換してもよい。
【００８５】
なお、上述の実施形態において、殺菌ランプ２９が紫外線照射部に相当する。
【符号の説明】
【００８６】
１…除菌装置、２…本体部、３…オゾン発生部、９…対象物、１１…吐出口、２１…収容室、２２…着脱部、４１…取り入れ口。
【図１】
0003231686.tif 000003
【図２】
0003231686.tif 000004
【図３】
0003231686.tif 000005
【図４】
0003231686.tif 000006
【図５】
0003231686.tif 000007
【図６】
0003231686.tif 000008